(57)【要約】【課題】  既設枠を残したまま新設枠及び新設外壁を施工する場合に、既設枠の室内外方向の寸法、形状の違い、既存外壁の厚みの違い、新設枠の室内外方向の寸法の違い、形状或いは取り付け位置の違いに対応でき、しかも新設枠を取り付ける内周側開口部を広く取ることができる改修用開口部装置を提供する。【解決手段】  本発明の改修用開口部装置１において、額縁枠３は既設枠９の室外側に設けてあり、外周側壁１１は新設外壁端面１７ａを見切るものであり、内周側壁１３は室内外方向の長さを調節する少なくとも一つ以上の折り取り自在部２１を室内側端部１３ａに有し、新設枠５は室内側見付け壁５ａが既設枠９の戸当り部９ａに当接し且つ既設枠９の内周側に配置してあり、連結枠７は新設枠５の室外側に配置し額縁枠３の内周側壁１３に内周側から固定してあるとともに新設枠５の室外側見付け壁に固定してある。【選択図】      図１
2005076393.tif 000002
【特許請求の範囲】
【請求項１】
額縁枠と、新設枠と、連結枠とを備え、額縁枠は既設枠の室外側に設けるものであり、外周側壁と、内周側壁と、内周側壁と外周側壁とを室外側で繋ぐ連結壁とを有し、外周側壁は室内側端部を既存外壁の見付け面に固定してあり且つ新設外壁端面を見切るものであり、内周側壁は室内外方向の長さを調節する少なくとも一つ以上の折り取り自在部を室内側端部に有し、新設枠は室内側見付け壁が既設枠の戸当り部に当接し且つ既設枠の内周側に配置してあり、連結枠は新設枠の室外側に配置し額縁枠の内周側壁に内周側から固定してあるとともに新設枠の室外側見付け壁に固定してあることを特徴とする改修用開口部装置。
【請求項２】
額縁枠と、新設枠とを備え、額縁枠は既設枠の室外側に設けるものであり、外周側壁と、内周側壁と、内周側壁と外周側壁とを既設枠の室外側で繋ぐ連結壁とを有し、外周側壁は室内側端部を既存外壁の見付け面に固定してあり且つ新設外壁端面を見切るものであり、内周側壁は室内外方向の長さを調節する少なくとも一つ以上の折り取り自在部を室内側端部に有し、新設枠は室内側見付け壁が既設枠の戸当り部に当接し且つ既設枠の内周側に配置してあり、額縁枠の内周側壁に内周側から固定してあることを特徴とする改修用開口部装置。
【発明の詳細な説明】
【技術分野】
【０００１】
本発明は、ドア又は開きサッシ等の改修に用いられる改修用開口部装置に関する。
【背景技術】
【０００２】
特許文献１には、既設枠の内周側に下地材を取り付け、下地材の内周側に新設枠を取り付けることが開示されている。
特許文献２には、額縁枠の内周側壁に折り取り自在部を設けることが開示されている。また、特許文献２には新設外壁の施工について直接記載はないが、特許文献２に記載の固定片と化粧片との間に新設外壁を設ける構成になっている。
非特許文献１には、特許文献１と同様に既設枠の内周側に下地材を取り付けて新設枠を下地材の内周側に取り付けるとともに、額縁枠も既存外壁の見付け面に固定した下地材に取り付けることが開示されている。
【０００３】
【特許文献１】特開２００１−１７３３１５号公報
【特許文献２】実開平５−７８８８６号公報
【非特許文献１】「三協アルミ  ビル用建材総合カタログ'０３」三協アルミニウム工業株式会社  出版、２００３年５月、９７７頁
【発明の開示】
【発明が解決しようとする課題】
【０００４】
しかし、上述の特許文献１に開示の技術は、既設枠の内周側に下地材を取り付けているので、下地材の分だけ新設枠を取り付ける内周側開口が狭くなるとともに、既設枠の戸当り部に下地材及び新設枠の一部を当接させて取り付ける構造なので、既設枠（戸当り部）の室内外方向の位置や形状に応じて下地材や新設枠をその都度取り替える必要があり、部品点数が多くなるという問題がある。
特許文献２に開示の技術では、新設外壁の施工位置や厚みは、特許文献２に記載の固定片と見付け壁との間に限られるので、折り取り自在部を折り取って内周側壁の寸法を変えても、新設外壁の施工位置や厚みが制限されるという問題がある。
また、非特許文献１に開示の技術は、特許文献１と同様に既設枠の内周側に下地材を取り付けるので、下地材の分だけ新設枠を取り付ける内周側開口が狭くなる問題があるとともに、額縁枠も、既存外壁に取り付けた下地材に固定しているので、部品点数が多くなるという問題がある。
そこで、本発明は、既設枠を残したまま新設枠及び新設外壁を施工する場合に、既設枠の室内外方向の寸法、形状の違い、既存外壁の厚みの違い、新設枠の室内外方向の寸法の違い、形状或いは取り付け位置の違いに対応できる自由度が高く、しかも新設枠を取り付ける内周側開口部を広く取ることができるとともに、部品点数の少ない改修用開口部装置の提供を目的とする。
【課題を解決するための手段】
【０００５】
請求項１に記載の発明は、額縁枠と、新設枠と、連結枠とを備え、額縁枠は既設枠の室外側に設けるものであり、外周側壁と、内周側壁と、内周側壁と外周側壁とを室外側で繋ぐ連結壁とを有し、外周側壁は室内側端部を既存外壁の見付け面に固定してあり且つ新設外壁端面を見切るものであり、内周側壁は室内外方向の長さを調節する少なくとも一つ以上の折り取り自在部を室内側端部に有し、新設枠は室内側見付け壁が既設枠の戸当り部に当接し且つ既設枠の内周側に配置してあり、連結枠は新設枠の室外側に配置し額縁枠の内周側壁に内周側から固定してあるとともに新設枠の室外側見付け壁に固定してあることを特徴とする。
【０００６】
請求項２に記載の発明は、額縁枠と、新設枠とを備え、額縁枠は既設枠の室外側に設けるものであり、外周側壁と、内周側壁と、内周側壁と外周側壁とを既設枠の室外側で繋ぐ連結壁とを有し、外周側壁は室内側端部を既存外壁の見付け面に固定してあり且つ新設外壁端面を見切るものであり、内周側壁は室内外方向の長さを調節する少なくとも一つ以上の折り取り自在部を室内側端部に有し、新設枠は室内側見付け壁が既設枠の戸当り部に当接し且つ既設枠の内周側に配置してあり、額縁枠の内周側壁に内周側から固定してあることを特徴とする。
【発明の効果】
【０００７】
請求項１に記載の発明によれば、既設枠を残したまま新設枠及び新設外壁を施工する際に、既存外壁の厚みや、既設枠の室内外方向の寸法や形状に違いがある場合、必要に応じて額縁枠の室内側壁に設けた折り取り自在部を折り取り、室内側壁の室内外方向の長さを調節でき、施工の自由度が高い。また、折り取り自在部を折り取って内周側壁の寸法を変えても、外周側壁の室内外方向の寸法や位置が変わらないから新設外壁の施工位置や厚みに制限を受けない。
新設枠は室内側見付け壁が既設枠の戸当り部に当接して取り付けてあり、既設枠の内周側に従来技術のような下地材を介在して取り付けていないので、新設枠を取り付ける内周側開口部を広く取ることができるとともに、部品点数を少なくできる。
新設枠の室外側に配置した連結枠により新設枠が額縁枠の内周側壁に固定しているので、新設枠の室内外方向の寸法の違い、形状或いは取り付け位置の違いによる制約がほとんどなく、新設枠の寸法や形状、取り付け位置の自由度が高い。
額縁枠は外周側壁を既存外壁の見付け面に固定するとともに内周側壁は連結部材により新設枠に固定しているので額縁枠の取り付けに従来技術のような下地材を必要とせず、部品点数を少なくできる。
【０００８】
請求項２に記載の発明によれば、請求項１に記載の発明と同様な効果を奏するとともに、連結枠を設けずに、新設枠を額縁枠に直接固定する構成であるから、更に部品点数を少なくできる。
【発明を実施するための最良の形態】
【０００９】
以下に、添付図面を参照して本発明の実施の形態を説明する。まず、図１〜図３を参照して本発明の第１実施の形態について説明する。図１は発明の第１実施の形態にかかる改修用開口部装置の施工状態を示す横断面図であり、図２は図１に示す改修用開口部装置の施工状態を示す縦断面図であり、図３は既存外壁の厚みや既設枠の室内外方向の寸法や形状が異なる場合における例を示す縦断面図である。尚、図１において抜き出して示すのは部分拡大図である。
本実施の形態にかかる改修用開口部装置１は、ドアの改修をするものであり且つ開口部１０に設けられた既設枠９を残したまま施工するものである。この改修用開口部装置１は、額縁枠３と、新設枠５と、連結枠７とを備えており、この構成で開口部１０の上左右を施工する。尚、開口部１０の下においては、改修用開口部装置１は上記構成のうち新設枠５のみを備えており、既設枠９に新設枠５を固定している。
額縁枠３は、既設枠９の室外側に設けてあり、外周側壁１１と、内周側壁１３と、連結壁１５とから構成されている。
外周側壁１１は、既設枠９の室外側で新設外壁１７の端面１７ａを見切っており、外周側壁１１と新設外壁１７の端面１７ａの間には充填材（シーリング材）１９が充填されている。この充填材１９は外周側壁１１と新設外壁１７の端面１７ａに対してのみ接着されている。なお、改修用開口部装置１の左右側（図１参照）における充填材１９と胴縁２４との間にはハットジョイナー１８が設けてあり、上側（図２参照）における充填材１９と胴縁２４との間にはバックアップ材２０が設けてある。
外周側壁１１の室内側端部１１ａは断面略Ｌ字形状に折り曲げられており、既存外壁２３の室外側見付け面にねじ２５により固定されている。
既存外壁２３の室外側に設けてある胴縁２４と新設外壁１７との間にはスペーサ２６が設けてあり、胴縁２４と新設外壁１７との間の隙間を保持している。また、ねじ２５が止めてある外周側壁１１の室内側端部１１ａには防水テープ２８が設けてある。
上述の充填材１９及び防水テープ２８は、改修用開口部装置１において上左右の３方に設けている。
内周側壁１３は、室内側端部１３ａが既設枠９に対向して配置されており、室内側端部１３ａにはその室内外方向に間隔を開けて複数の折り取り自在部２１が設けられている。折り取り自在部２１は断面Ｖ字形状の溝であり、折り取り自在部２１を折り目として折り取ることにより、室内外方向の長さが調節自在である。
連結壁１５は、既存外壁２３の室外側で外周側壁１１と内周側壁１３とを繋いでいる。
新設枠５は、既存枠９の内周側に配置されており、室内側見付け壁５ａが既設枠９の戸当り部９ａに当接して、内周側から既設枠９を貫通したねじ２７で躯体に固定されている。
連結枠７は新設枠５の室外側に配置しており、断面略Ｌ字形状のＬ字状枠２９とＬ字状枠２９に取り付ける遮蔽部材３１とから構成されている。Ｌ字状枠２９は額縁枠３の内周側壁１３と新設枠５の室外側見付け壁５ｂとに跨って配置してあり、額縁枠３の内周側壁１３と新設枠５の室外側見付け壁５ｂとにねじ３３、３５により固定している。遮蔽部材３１はＬ字状枠２９に弾性係合により取り付けてあり、ねじ３３、３５を遮蔽している。尚、図中において、符号３７は扉である。
【００１０】
次に、本実施の形態にかかる改修用開口部装置１の施工及び効果について説明する。施工の際には、既設枠９及び既存外壁２３は除去することなくそのままにして施工する。新設枠５の施工は、新設枠５の室内側見付け壁５ａを既設枠９の戸当り部９ａに当接させるだけで位置決めでき、施工時の位置決めが容易である。また、新設枠５の室内側見付け壁５ａを既設枠９の戸当り部９ａに当接してあり、既設枠９と新設枠５との間に従来技術にあるような下地材を介在させていないので、新設枠９の取り付ける内周側開口部を広くとることができる。
額縁枠３は、内周側壁１３の室内側端部１３ａを既設枠９の見付け面に対向して配置して、外周側壁１１の室内側端部１１ａを既存外壁２３の室外側見付け面にねじ２５により固定する。額縁枠３の外周側壁１１は室内側端部１１ａを既存外壁２３の見付け面に直接固定しており、従来技術にあるような下地材を介在して既存外壁の見付け面に固定していないから、従来技術よりも部品点数を少なくできる。
額縁枠３の取り付けにおいて、既存外壁２３の厚みや新設外壁１７の厚みの違いによって、額縁枠３における内周側壁１３の室内外方向の寸法が長すぎる場合には、折り取り自在部２１を折り取りして、寸法違いを修正する。即ち、内周側壁１３の内外寸法はあらかじめ長めに設定しておき、折り取り自在部２１の折り取りにより内外方向の寸法を調節する。このように、額縁枠３は内周側壁１３の室内外寸法が施工現場での折り取りにより容易に調節できる。
例えば、図３の（ａ）に対して、（ｂ）に示すように既存外壁２３の厚みＷが異なる（薄い）場合には、折り取り自在部２１を折り取って内周側壁１３の室内外方向の寸法を調節して施工する。また、（ｃ）に示すように（ａ）に対して既設枠９の室内外方向の寸法Ｔが異なる場合（長い場合）や形状が異なる場合にも、折り取り自在部２１を折り取って内周側壁１３の室内外方向の寸法を調節する。
連結枠７の取り付けは、まず、連結枠７のＬ字状枠２９を新設枠５の室外側見付け壁５ｂと、額縁枠３の内周側壁１３に跨って配置し、新設枠５にねじ３５で固定し、内周側壁１３にねじ３３で固定する。これにより、額縁枠３の内周側壁１３は新設枠５に固定されるとともに額縁枠３の内周側からのねじ止め作業により上左右の額縁枠３と新設枠５との取り付け作業がしやすい。そして、遮蔽部材３１を上左右のＬ字状枠２９に嵌合により取り付ける。
以上のように、本実施の形態によれば、既設枠９や既存外壁２３を除去することなく新設枠５を設置する改修ができる。この改修工事において、既存外壁２３の厚みや既設枠９の寸法（見込み寸法）や形状が異なる場合にも、折り取り自在部２１を設けてあるので、額縁枠３の内周側壁１３の寸法調整が施工現場で容易にできるので、これらの寸法等の違いに合わせて施工することができる。
また、折り取り自在部２１を折り取って内周側壁１３の寸法を変えても、外周側壁１１の室内外方向の寸法や位置が変わらないから新設外壁１７の施工位置や厚みに制限を受けない。
新設枠５は室内側見付け壁５ａが既設枠９の戸当り部９ａに当接して取り付けてあり、既設枠９の内周側に従来技術にあるような下地材を介在して取り付けていないので、新設枠５を取り付ける内周側開口部を広く取ることができるとともに、部品点数を少なくできる。
更に、新設枠５の室外側に配置した連結枠７により新設枠５が額縁枠３の内周側壁１３に固定しているので、新設枠５の室内外方向の寸法の違い、形状或いは取り付け位置の違いによる制約がほとんどなく、新設枠５の寸法や形状、取り付け位置の自由度が高い。
【００１１】
次に、図４及び図５を参照して、本発明の第２実施の形態について説明する。以下に説明する実施の形態では、上述した実施の形態と同一の作用効果を奏する部分には同一の符号を付することにより、その詳細な説明を省略する。尚、図４は第２実施の形態にかかる改修用開口部装置の右側の施工状態を示す断面図であり、図５は図４に示す改修用開口部装置の施工状態を示す縦断面図である。図４においては、改修用開口部装置の左側の施工状態を示す断面図は左側と略同じなので省略する。また、図４において抜き出して示すのは部分拡大図である。
この第２実施の形態では、連結枠７がなく、新設枠５の室外側に額縁枠３の内周側壁１３に対する固定部４１を一体に備えており、固定部４１を額縁枠３の内周側壁１３にねじ４３で固定している。固定部４１は内周側が開いた断面略コ字形状であり、内周側からねじ４３を止めるようになっている。固定部４１の内周側の開口は遮蔽部材４５が嵌合されている。
この第２実施の形態によれば、第１実施の形態と同様に、折り取り自在部２１を設けてあるので、既存外壁２３の厚みや新設枠５の寸法（見込み寸法）や形状が異なる場合にも額縁枠３の内周側壁１３の寸法調整が施工現場で容易にできるので、寸法の違いに合わせて施工することができる。また、新設枠５の施工は、新設枠５の室内側見付け壁５ａを既設枠９の戸当り部９ａに当接させるだけで位置決めでき、施工時の位置決めが容易であるとともに、新設枠５を取り付ける内周側開口部を広く取ることができ且つ部品点数を少なくできる。
額縁枠３は、内周側壁１３の内外寸法を折り取り自在部２１の折り取りにより容易に調節できる。
更に、連結枠７を設けずに、新設枠５に額縁枠３の内周側壁１３との固定部４１を設けているので、連結枠７がない分、第１実施の形態よりも部品点数が少なくて済む。
【００１２】
本発明は、上述した実施の形態に限らず、本発明の要旨を逸脱しない範囲で種々変形可能である。
例えば、折り取り自在部２１は断面略Ｖ字形状の溝に限らず、Ｕ字形状であってもよいし、ミシン目状に孔を形成するものであってもよい。
折り取り自在部２１は、額縁枠３の内周側壁１３において、少なくとも室内側端部１３ａにあればよく、室内側端部１３ａから室内外方向における略中央位置に渡って複数設けてもよい。
本発明の改修用開口部装置１は、戸当りを有する既設枠の改修全般に適用でき、ドアの改修に限らず、開きサッシや押し倒しサッシ等にも用いるものであってもよい。
第１実施の形態において連結枠７の遮蔽部材３１はなくてもよいし、同様に第２実施の形態においても遮蔽部材４５はなくてもよい。
また、新設枠５は引戸サッシを採用してもよく、ドア、開きサッシ、押し倒しサッシ等の戸当りを有するサッシに限定されない。
また、折り取り自在部２１は必要に応じて折り取るものであるから、図３の（ａ）に示すように折り取らないで用いてもよいし、図３の（ｂ）（ｃ）に示すように折り取って用いるものであってもよい。
【図面の簡単な説明】
【００１３】
【図１】発明の第１実施の形態にかかる改修用開口部装置の施工状態を示す横断面図である。
【図２】図１に示す改修用開口部装置の施工状態を示す縦断面図である。
【図３】既存外壁の厚みや既設枠の室内外方向の寸法や形状が異なる場合における改修用開口部装置の右側の施工状態を示す縦断面図である。
【図４】第２実施の形態にかかる改修用開口部装置の右側の施工状態を示す断面図である。
【図５】図４に示す改修用開口部装置の施工状態を示す縦断面図である。
【符号の説明】
【００１４】
１      改修用開口部装置
３      額縁枠
５      新設枠
５ａ    室内側見付け壁
５ｂ    室外側見付け壁
７      連結枠
９      既設枠
９ａ    戸当り部
１１    外周側壁
１１ａ  室内側端部
１３    内周側壁
１３ａ  室内側端部
１５    連結壁
１７    新設外壁
１７ａ  端面
２１    折り取り自在部
２３    既存外壁
【図１】
2005076393.tif 000003
【図２】
2005076393.tif 000004
【図３】
2005076393.tif 000005
【図４】
2005076393.tif 000006
【図５】
2005076393.tif 000007